(57)【特許請求の範囲】
【請求項１】
噴霧ノズル（５）からの噴霧に静電付与電極（１９）からの電荷を付与して散布を行う静電付与式散布機（Ｓ１，Ｓ２）であって、前記噴霧ノズル（５）からの噴霧を制御する噴霧制御部材（６，３０）の操作に連動して前記静電付与電極（１９）への電力供給を自動的に制御する連動スイッチ（１６）を備えてなる、静電付与式散布機。
【請求項２】
前記噴霧ノズル（５）と前記静電付与電極（１９）とを互いに対応せしめて複数組備えるとともに、前記静電付与電極（１９）のそれぞれに対応して前記連動スイッチ（１６）を備え、該各連動スイッチ（１６）は、前記噴霧制御部材（３０）の操作によって噴霧を制御された前記噴霧ノズル（５）に対応する前記静電付与電極（１９）への電力供給を自動的に制御するものである、請求項１に記載の静電付与式散布機。
【請求項３】
前記噴霧ノズル（５）と前記静電付与電極（１９）とを互いに対応せしめて複数組備え、前記噴霧ノズル（５）のそれぞれに対応して前記噴霧制御部材（３０）を備え、該噴霧制御部材（３０）のそれぞれに対応して前記連動スイッチ（１６）を備え、該連動スイッチ（１６）のそれぞれに対応して前記静電付与電極（１９）を備えてなる、請求項１に記載の静電付与式散布機。
【請求項４】
前記連動スイッチは、前記噴霧ノズル（５）からの噴霧圧に応じて前記静電付与電極（１９）への電力供給を自動的に制御する圧力スイッチ（１６）である、請求項１，２または３に記載の静電付与式散布機。
【請求項５】
噴霧ノズル（５）から噴射される薬液に静電付与電極（１９）からの電荷を付与して散布を行う静電付与式散布機（Ｓ１，Ｓ２）において、前記噴霧ノズル（５）へ供給する薬液の圧力が設定値以下に低下したことを検出して、前記静電付与電極（１９）への電力供給を遮断する圧力スイッチ（１６）を備えたことを特徴とする静電付与式散布機。
【請求項６】
前記圧力スイッチ（１６）が、薬液供給用ポンプ（４）から前記噴霧ノズル（５）に至る配管（７，１３，９，１０）に介装されたメインコック（６）の下流側で、前記薬液供給用ポンプ（４）から前記メインコック（６）を介して供給される薬液の圧力を検出することを特徴とする請求項５に記載の静電付与式散布機。
【請求項７】
前記メインコックが、その単一の入口（６ａ）が前記薬液供給用ポンプ（４）からの配管（７）に接続され、一方の出口（６ｂ）が前記噴霧ノズル（５）に至る配管（１３，９，１０）に接続され、他方の出口（６ｃ）が薬液タンク（２）に至る配管（８）に接続された三方コック（６）であることを特徴とする請求項６に記載の静電付与式散布機。
【発明の詳細な説明】
【０００１】
【発明の属する技術分野】
本発明は、噴霧した農薬等の薬液に電荷を付与して、薬液の栽培植物等に対する付着を十分に行えるようにする静電付与式散布機に関する。
【０００２】
【従来の技術】
従来から、噴霧ノズルの噴射口前方に、前記噴霧ノズルからの噴霧に電荷を付与するための静電付与電極を備えた静電付与式散布機が提供されている。該静電付与式散布機によれば、前記噴霧ノズルからの噴霧に電荷が付与されるので、薬液等の噴霧粒子とは逆極性の農作物等への付着性が良好となり、これにより、防除の確実性を高めることができる。
【０００３】
前記従来の静電付与式散布機では、前記噴霧ノズルからの噴霧の制御と、前記静電付与電極に対する電力供給の制御とを、噴霧制御操作部材としてのコックと、電気スイッチと、により、それぞれ独立して操作するようになっていた。
【０００４】
【発明が解決しようとする課題】
しかしながら、前記従来の構成によれば、前記コックの切換操作と、前記電気スイッチの切換操作と、を別々に行わなければならないので、操作性が悪かった。また、前記コックの切換操作に対応して行うべき前記電気スイッチの切換操作をし忘れ、噴霧粒子に電荷が付与されなかったり、噴霧を停止した後でも前記静電付与電極への電力供給が持続されて不経済であったり、感電による不測の事故が発生する等の問題もあった。
【０００５】
本発明は、前記のごとき事情に鑑みてなされたもので、噴霧ノズルからの噴霧の制御と、静電付与電極への電力供給の制御と、を単一の操作で行うことができて操作性が良く、しかも、電気スイッチの切換操作忘れによる弊害等のない、静電付与式散布機を提供しようとするものである。
【０００６】
【課題を解決するための手段】
前記課題を解決するため、請求項１に記載の本発明に係る静電付与式散布機は、噴霧ノズルからの噴霧に静電付与電極からの電荷を付与して散布を行う静電付与式散布機であって、前記噴霧ノズルからの噴霧を制御する噴霧制御部材の操作に連動して前記静電付与電極への電力供給を自動的に制御する連動スイッチを備えたものである。
【０００７】
前記静電付与式散布機において、前記噴霧ノズルからの噴霧を制御するために前記噴霧制御部材を操作すると、この操作に連動して前記連動スイッチが作動し、前記静電付与電極への電力供給も自動的に制御される。このように、本発明によれば、前記噴霧ノズルからの噴霧の制御操作に連動して前記静電付与電極への電力供給も制御されるので、従来のようにそれらの操作を別々に行う必要がなくなる。よって、操作性が良くなるほか、前記従来のもののように静電付与電極への電力供給制御操作をし忘れることによる弊害もなくなる等の効果がある。
【０００８】
請求項２に記載の本発明に係る静電付与式散布機は、請求項１に記載のものにおいて、前記噴霧ノズルと前記静電付与電極とを互いに対応せしめて複数組備えるとともに、前記静電付与電極のそれぞれに対応して前記連動スイッチを備え、該各連動スイッチは、前記噴霧制御部材の操作によって噴霧を制御された前記噴霧ノズルに対応する前記静電付与電極への電力供給を自動的に制御するようにせしめたものである。
【０００９】
この場合、複数の前記噴霧ノズルの内、前記噴霧制御部材の操作によって噴霧が制御されたノズルに対応する静電付与電極への電力供給のみが、該静電付与電極に対応する前記連動スイッチによって自動的に制御される。よって、例えば、複数の前記噴霧ノズルの内、噴霧を不要とするノズルからの噴霧を停止せしめれば、該ノズルに対応する前記静電付与電極への電力供給のみが自動的に停止されることとなる。すなわち、必要に応じて、噴霧に関与する噴霧ノズルの数を変更でき、その場合でも、複数の前記静電付与電極への電力供給制御操作を別に行う必要がなく、操作性が良好となる利点がある。
【００１０】
請求項３に記載の本発明に係る静電付与式散布機は、請求項１に記載のものにおいて、前記噴霧ノズルと前記静電付与電極とを互いに対応せしめて複数組備え、前記噴霧ノズルのそれぞれに対応して前記噴霧制御部材を備え、該噴霧制御部材のそれぞれに対応して前記連動スイッチを備え、該各連動スイッチのそれぞれに対応して前記静電付与電極を備えたものである。
【００１１】
この場合、前記噴霧制御部材の内の一つを操作すると、それに対応する前記噴霧ノズルからの噴霧が制御されるとともに、対応する前記連動スイッチが作動して、該連動スイッチに対応する前記静電付与電極への電力供給が自動的に制御される。
【００１２】
請求項４に記載の本発明に係る静電付与式散布機は、請求項１，２または３に記載のものにおいて、前記連動スイッチを、前記噴霧ノズルからの噴霧圧に応じて前記静電付与電極への電力供給を自動的に制御する圧力スイッチとせしめたものである。
【００１３】
すなわち、前記連動スイッチとしては、例えば、接触式スイッチを採用し、前記噴霧制御部材の一例としてのコックを切換操作するために回動操作されるコックレバーに当接して、その接点の開閉が行われるように、前記接触式スイッチを配設せしめることもできるが、請求項４に記載のもののように、圧力スイッチを採用すると、配線の取り回しが合理的に行えるとともに、前記噴霧ノズルからの噴霧が完全に停止する前に適切なタイミングで前記静電付与電極への電力供給を停止せしめるようにすることも容易にできて、好適である。
【００１４】
請求項５に記載の本発明に係る静電付与式散布機は、噴霧ノズルから噴射される薬液に静電付与電極からの電荷を付与して散布を行う静電付与式散布機において、前記噴霧ノズルへ供給する薬液の圧力が設定値以下に低下したことを検出して、前記静電付与電極への電力供給を遮断する圧力スイッチを備えたものである。
【００１５】
この場合、前記噴霧ノズルへ供給される薬液の圧力が設定値以下に低下すると、前記圧力スイッチが作動して、前記静電付与電極への電力供給が自動的に遮断される。このため、薬液の散布作業を一時中断した場合などに、前記静電付与電極への電力供給のみが持続する等の問題がない。
【００１６】
請求項６に記載の本発明に係る静電付与式散布機は、請求項５に記載のものにおいて、前記圧力スイッチが、薬液供給用ポンプから前記噴霧ノズルに至る配管に介装されたメインコックの下流側で、前記薬液供給用ポンプから前記メインコックを介して供給される薬液の圧力を検出するようにせしめたものである。このようにすれば、前記噴霧ノズルへの薬液の供給圧力が設定レベル以下となったとき、単一の圧力スイッチによって前記静電付与電極への電力供給を停止できて、好適である。
【００１７】
請求項７に記載の本発明に係る静電付与式散布機は、請求項６に記載のものにおいて、前記メインコックを、その単一の入口が前記薬液供給用ポンプからの配管に接続され、一方の出口が前記噴射ノズルに至る配管に接続され、他方の出口が薬液タンクに至る配管に接続された三方コックとせしめたものである。このようにすれば、前記噴霧ノズルに対する薬液の供給圧力を、前記薬液タンクへの薬液の戻し量をコントロールしながら最適値に調整できるので、一層好適である。
【００１８】
【発明の実施の形態】
以下、添付図面を参照して、本発明の好適な実施の形態について説明する。
【００１９】
図１は、本発明の第一の実施の形態に係る静電付与式散布機の液圧系統および電気系統を示す系統図である。
【００２０】
図１に示す静電付与式散布機Ｓ１において、前記液圧系統は、農薬などの薬液１を貯溜する薬液タンク２と、該薬液タンク２から吸入配管３を通して薬液を吸入する薬液供給用ポンプ４と、該ポンプ４が加圧した薬液を、一本の軽合金製散布用ブーム２２の長さ方向に沿って配設された複数の噴霧ノズル５へ供給する、メインコックとしての三方コック６と、を備えている。該三方コック６は、前記噴霧ノズル５からの噴霧を制御する噴霧制御部材として作用する。
【００２１】
前記三方コック６の単一の入口６ａは、吐出配管７を介して、前記ポンプ４に接続されている。また、前記三方コック６の一方の出口６ｂは、噴霧配管１３と、該噴霧配管１３に接続されたホース９と、該ホース９に連結される、前記一本の散布用ブーム２２に沿って配設された金属管などよりなるノズル配管１０と、を介して、前記各噴霧ノズル５に接続されている。さらに、前記三方コック６の他方の出口６ｃは、戻し配管８を介して、前記薬液タンク２内に導かれている。前記三方コック６は、前記一方の出口６ｂが開くと、前記他方の出口６ｃが閉じるという動作をする。
【００２２】
また、前記ポンプ４と前記戻し配管８との間には、前記ポンプ４の吐出圧が設定値を超えると開く調圧弁１１が介装されている。図１中、符号１２は、前記ポンプ４に接続された前記吸入配管３の端部に設けられて、前記薬液１内に混入している塵埃などを瀘過するストレーナである。
【００２３】
一方、前記電気系統は、直流電源としての、携帯に便利なバッテリ１４と、該バッテリ１４に接続された主電源スイッチ１５と、該主電源スイッチ１５に直列接続された圧力スイッチ１６と、前記主電源スイッチ１５および前記圧力スイッチ１６を介して前記バッテリ１４に接続された昇圧回路１７と、該昇圧回路１７の出力側に高電圧ケーブル１８を介して接続されるとともに前記噴霧ノズル５のそれぞれに対応せしめて配設された静電付与電極１９と、を備えている。
【００２４】
ここで、前記圧力スイッチ１６は、前記三方コック６の切換操作に連動して前記静電付与電極１９への電力供給を自動的に制御する連動スイッチとして作用する。すなわち、前記圧力スイッチ１６は、前記三方コック６の前記一方の出口６ｂ側の圧力、図１上では、前記ホース９と前記噴霧配管１３との接続部分の圧力を導入して動作する。前記圧力スイッチ１６は、前記三方コック６の前記一方の出口６ｂ側で前記薬液１の圧力が上昇して、設定レベルに達した場合には閉じ（ＯＮ）、この設定レベル以下では開く（ＯＦＦ）という動作をする。前記電気回路において、前記主電源スイッチ１５と前記圧力スイッチ１６とが共にＯＮになると、前記昇圧回路１７で昇圧された高電圧が、前記静電付与電極１９に印加される。
【００２５】
図２には、前記噴霧ノズル５と前記静電付与電極１９との関連構造の一例が示されている。同図において、前記噴霧ノズル５および前記静電付与電極１９は、これらの各一を組にして、取付板２１に固定され、しかも互いに近接して隣合うように配置されている。これにより、前記噴霧ノズル５から噴射される薬液に対して、前記静電付与電極１９が発生する高電圧によって、霧化された薬液に電荷を効率的に付与することができる。なお、前記静電付与電極１９は、絶縁材からなる電極ホルダ１９ａの先端部から、電極ロッド１９ｂの先端が僅かに突出した形態をなし、可能な限り人体が触れにくい形態とされている。また、前記電極ロッド１９ｂは、前記電極ホルダ１９ａの斜め切断面１９ｃによって、前記噴霧ノズル５から噴射される薬液噴霧側に、水切りし易い状態で臨むようにされている。
【００２６】
次に、動作について説明する。本実施の形態に係る前記静電付与式散布機Ｓ１を使用して薬液散布をする場合には、まず、図示しないモータやエンジンなどの動力源を駆動して、前記ポンプ４を作動させるとともに、前記主電源スイッチ１５をＯＮにする。前記ポンプ４の作動によって、前記薬液タンク２内の前記薬液１は、前記吸入配管３、前記ポンプ４、前記吐出配管７、前記三方コック６の前記他方の出口６ｃおよび前記戻し配管８を介して、前記薬液タンク２に戻される。
【００２７】
次に、前記ポンプ４の吐出圧が安定したと思われるタイミングで、前記三方コック６を切換操作し、該三方コック６の前記一方の出口６ｂを開く。これにより、前記ポンプ４から吐出される前記薬液１は、前記噴霧配管１３、前記ホース９および前記ノズル配管１０を通って、全ての前記噴霧ノズル５に同時に供給され、該複数の噴霧ノズル５から薬液が噴射される。
【００２８】
前記圧力スイッチ１６は、前記三方コック６の前記一方の出口６ｂ側の圧力を監視しており、この圧力が設定値を超えた時、つまり、噴霧圧が所定値に達して薬液の適正な噴霧が行われ始めた時に、初めて閉じられてＯＮになる。これにより、前記バッテリ１４の電力は、前記主電源スイッチ１５および前記圧力スイッチ１６を介して前記昇圧回路１７に供給され、該昇圧回路１７で昇圧された１０ｋＶ程度の直流高電圧が、前記各静電付与電極１９に印加される。該各静電付与電極１９が発生する電荷は、該各静電付与電極１９に対応する前記各噴霧ノズル５から噴射される薬液に付与され、この噴霧薬液は、例えば野菜などの栽培植物に効果的に付着することとなる。これにより、栽培植物についた害虫の駆除や殺菌を確実に行うことができる。
【００２９】
一方、このような薬液散布を一時停止するため、前記戻し管路８の方向に前記三方コック６を切換操作し、前記噴霧ノズル５への前記薬液１の供給を停止した場合には、前記三方コック６の切換操作に連動して、前記三方コック６の前記一方の出口６ｂ側の圧力、つまり前記噴霧配管１３内の圧力が低下する。そして、この圧力が設定値を下回ると、この圧力を監視している前記圧力スイッチ１６が自動的に開放されてＯＦＦとなり、前記バッテリ１４から前記昇圧回路１７への電力供給が遮断される。このため、前記昇圧回路１７から前記静電付与電極１９への高電圧の印加が自動的に遮断される。
【００３０】
以上のように、前記静電付与式散布機Ｓ１によれば、作業員は、前記三方コック６の切換操作時に、前記電気回路を開閉する操作を別に行う必要がないので、操作性が良い。
【００３１】
また、前記電気回路の開閉操作をし忘れることもないので、誤って、噴霧粒子に対する電荷の付与がなされない状態で噴霧作業を行ってしまったり、逆に、噴霧を停止した状態で前記静電付与電極への電力の供給のみが持続する等の事態が生ずることがない。よって、噴霧作業を確実に行うことができるほか、経済性も良く、安全性も高い等の効果がある。
【００３２】
さらに、前記連動スイッチとして圧力スイッチを採用したことにより、前記噴霧ノズル５からの噴霧圧力の低下に応じて前記静電付与電極１９に対する電力の供給が自動的に遮断されるので、前記静電付与電極５の濡れを最低限に抑えることもできる。
【００３３】
なお、前記連動スイッチとしては、圧力スイッチのほか、他の形式のスイッチ、例えば、安価な接触式スイッチ等を採用することもできる。この場合には、例えば、前記三方コック６の切換操作部材としてのコックレバー６ｄに近接せしめて前記接触式スイッチを配設し、前記噴霧ノズル５からの噴霧を開始する方向に前記コックレバー６ｄを回動操作することにより、該コックレバー６ｄが前記接触式スイッチに接触して、該スイッチが自動的にＯＮになるようにせしめるとともに、前記噴霧ノズル５からの噴霧を停止する方向に前記コックレバー６ｄを回動操作することにより、該コックレバー６ｄが前記接触式スイッチから離れて、該スイッチが自動的にＯＦＦになるようにせしめれば良い。
【００３４】
次に、図３を参照して、本発明の他の実施の形態を説明する。
【００３５】
図３は、本発明の第二の実施の形態に係る静電付与式散布機の液圧系統および電気系統を示す系統図である。同図において、前記第一の実施の形態に係る静電付与式散布機Ｓ１における構成要素と同一または均等な要素には、それと同一の符号を付して、重複した説明を省略する。
【００３６】
本第二の実施の形態に係る静電付与式散布機Ｓ２は、前記と同様の噴霧ノズル５と静電付与電極１９との組み合わせを複数群（図３の例では二組三群）備えたものであり、該複数群の噴霧ノズル５から噴霧を行う群と噴霧を行わない群を任意に選択できるようにせしめた散布機に、本発明を適用したものである。
【００３７】
すなわち、本実施の形態に係る前記静電付与式散布機Ｓ２は、互いに相対伸縮自在または折り畳み自在な複数（図３の例では三つ）の散布用ブーム２２，２２，２２を備え、該三つの散布用ブーム２２，２２，２２に沿ってそれぞれ配設されたノズル配管１０の長さ方向に沿って、前記噴霧ノズル５と前記静電付与電極１９との互いに対応した組み合わせが、群をなして配設されている。そして、必要に応じて、いわゆる条止めと言われる、散布を行う必要のない散布用ブーム２２のノズル配管１０の噴霧ノズル５群からの噴霧を停止せしめることができ、噴霧の停止操作に連動して、噴霧が停止された噴霧ノズル５群に対応する静電付与電極１９群への電力供給のみが自動的に停止されるようになっている。
【００３８】
図３中の液圧系統において、前記第一の実施の形態と同様の三方コック６の一方の出口６ｂは、該一方の出口６ｂに対して互いに並列に接続された噴霧制御部材としての三つの開閉コック３０，３０，３０を介して、前記各ノズル配管１０，１０，１０に連通している。すなわち、前記三方コック６の前記一方の出口６ｂには、前記と同様の噴霧配管１３が接続され、該噴霧配管１３は、前記ノズル配管１０の数に対応して、三つに分岐している。そして、そのそれぞれの分岐配管３１は、前記開閉コック３０と、ホース９と、を介して、前記各ノズル配管１０に連通している。
【００３９】
一方、図３中の電気系統は、前記第一の実施の形態と同様のバッテリ１４と、該バッテリ１４に接続された主電源スイッチ１５と、該主電源スイッチ１５に対して互いに並列に接続された三つの圧力スイッチ１６，１６，１６と、該圧力スイッチ１６，１６，１６のそれぞれに対応して配設されるとともに前記主電源スイッチ１５および前記各圧力スイッチ１６，１６，１６を介して前記バッテリ１４に接続された昇圧回路１７，１７，１７と、該各昇圧回路１７，１７，１７の出力側に高電圧ケーブル１８を介して接続されるとともに前記噴霧ノズル５のそれぞれに対応せしめて配設された前記静電付与電極１９と、を備えている。
【００４０】
本実施の形態では、前記各圧力スイッチ１６，１６，１６は、前記各開閉コック３０，３０，３０の開閉操作に連動して、前記各群の前記静電付与電極１９への電力供給を自動的に制御する連動スイッチとして作用する。すなわち、前記各圧力スイッチ１６，１６，１６は、前記各開閉コック３０，３０，３０の下流側の圧力を監視しており、前記各開閉コック３０，３０，３０の下流側で前記薬液１の圧力が上昇して、設定値に達した場合には閉じ（ＯＮ）、この設定値以下では開く（ＯＦＦ）という動作をする。前記電気回路において、前記主電源スイッチ１５がＯＮの状態の下で、ＯＮになった前記圧力スイッチ１６に対応する前記静電付与電極１９群に、前記各昇圧回路１７，１７，１７から高電圧が印加される。
【００４１】
前記構成において、前記三方コック６を噴霧側へと切換操作した上で、前記開閉コック３０，３０，３０のすべてを開くと、前記全てのノズル配管１０，１０，１０の前記噴霧ノズル５群から噴霧が開始され、前記各開閉コック３０，３０，３０の下流側における液圧が所定値を超えることにより、前記各圧力スイッチ１６，１６，１６がＯＮになって、前記噴霧ノズル５のすべてに対応する前記静電付与電極１９に高電圧が印加される。これにより、前記噴霧ノズル５からの噴霧に電荷が付与され、噴霧粒子の栽培作物に対する付着性が向上する。
【００４２】
ここで、例えば、散布幅を狭める等の理由によって、前記散布用ブーム２２，２２，２２のいずれかに対応する前記噴霧ノズル５群からの噴霧を停止せしめるべく、該噴霧ノズル５群に対応する前記開閉コック３０を閉じると、これに連動して、該開閉コック３０の下流側の液圧が所定値以下となった時に、前記開閉コック３０に対応する前記圧力スイッチ１６がＯＦＦとなって、該圧力スイッチ１６に対応する前記静電付与電極１９群への電力供給が停止される。よって、操作性が良いほか、噴霧を停止したにもかかわらず電荷付与のための電力供給のみが持続する等の事態が発生する余地がない。
【００４３】
なお、前記第一の実施の形態の場合と同様に、前記連動スイッチとして、圧力スイッチに代えて、接触式スイッチ等を採用することもできることは言うまでもない。この場合には、前記各開閉コック３０，３０，３０に対応せしめて、該各コック３０，３０，３０の操作部材としての開閉操作レバー３２に接触してその接点が開閉されるように、前記接触式スイッチをそれぞれ配設すればよい。
【００４４】
また、前記第一及び第二の実施の形態における如く、連動スイッチとして圧力スイッチ１６を用いれば、静電付与電極１９に近接せしめて配置した昇圧回路１７に前記圧力スイッチ１６を組み込む等、各部材を合理的に配設でき、配線の取り回しも適切に行え、好適である。
【図面の簡単な説明】
【図１】本発明の第一の実施の形態に係る静電付与式散布機を示す系統図である。
【図２】図１における噴霧ノズルと静電付与電極の関連構造を示す図である。
【図３】本発明の第二の実施の形態に係る静電付与式散布機を示す系統図である。
【符号の説明】
４    薬液供給用ポンプ
５    噴霧ノズル
６    三方コック（メインコック、噴霧制御部材）
６ａ  メインコックの入口
６ｂ  メインコックの一方の出口
６ｃ  メインコックの他方の出口
７    吐出配管
８    戻し配管
９    ホース（配管）
１０  ノズル配管
１３  噴霧配管
１６  圧力スイッチ（連動スイッチ）
１９  静電付与電極
３０  開閉コック（噴霧制御部材）
Ｓ１，Ｓ２  静電付与式散布機
【図１】
0003877045.tif 000002
【図２】
0003877045.tif 000003
【図３】
0003877045.tif 000004